(57)【要約】【課題】指針回動領域と装飾用リング状突条部とが一体成形された計器用文字盤を提供する。【解決手段】  本発明の計器用文字盤２は、透光性基板１８を絞り成形することによって、指針回動領域部と、指針回動領域部を囲む帯状内周壁部１２と、帯状内周壁部１２を囲む帯状外周壁部１４と、帯状内周壁部１２と帯状外周壁部１４との間に配置される帯状頂壁部１５を具備せしめると共に、帯状頂壁部１５が頂部となり、かつ、帯状内周壁部１２と帯状外周壁部１４との間隔を、帯状頂壁部１５の反対側に向けてハ字状に拡がるように離間せしめ、少なくとも帯状頂壁部１５の裏面側を含む帯状領域に表面側から透過して入射した光を表面側に反射する装飾用リング状反射帯１７が印刷により形成されてなる。【選択図】  図４
2010121973.tif 000002
【特許請求の範囲】
【請求項１】
透光性基板を絞り成形することによって、指針回動領域部と、該指針回動領域部を囲む帯状内周壁部と、該帯状内周壁部を囲む帯状外周壁部と、前記帯状内周壁部と前記帯状外周壁部との間に配置される帯状頂壁部を具備せしめると共に、
前記帯状頂壁部が頂部となり、かつ、前記帯状内周壁部と前記帯状外周壁部との間隔を、前記帯状頂壁部の反対側に向けてハ字状に拡がるように離間せしめ、
少なくとも前記帯状頂壁部の裏面側を含む帯状領域に表面側から透過して入射した光を前記表面側に反射する装飾用リング状反射帯が印刷により形成されてなることを特徴とする計器用文字盤。
【請求項２】
前記指針回動領域部が大径指針回動領域部と小径指針回動領域部とからなり、前記帯状内周壁部と前記帯状外周壁部と前記帯状頂壁部とが前記大径指針回動領域部を包囲する装飾用大径リング状突条部と前記小径指針回動領域部を包囲する装飾用小径リング状突条部とからなることを特徴とする請求項１に記載の計器用文字盤。
【請求項３】
前記装飾用大径リング状突条部と前記装飾用小径リング状突条部との連結部に段差が存在することを特徴とする請求項２に記載の計器用文字盤。
【請求項４】
請求項１ないし請求項３のいずれか１項に記載の計器用文字盤を有することを特徴とする車両用計器。
【発明の詳細な説明】
【技術分野】
【０００１】
本発明は、計器用文字盤及びこれを用いた車両用計器の改良に関する。
【背景技術】
【０００２】
従来から、スピードメータ、タコメータ等の車両用計器に用いられる計器用文字盤には、この計器用文字盤の装飾のため、計器用文字盤の指針回動領域を金属光沢を有する装飾用リング状突条部によって包囲する構成のものが知られている。
【０００３】
従来、この種の計器用文字盤では、文字盤本体に指針回動領域を包囲するようにして係合穴を形成し、この係合穴に装飾用リング部材を係止させて装飾用リング状突条部を形成する構成を採用している。
【０００４】
その装飾用リング部材は、断面が放物線形状の輪郭を有する山型形状とされ、その底部には係合穴に係止される係合爪が形成されている。
【０００５】
その装飾用リング部材は、例えば、黒色でかつメッキが付着しない非メッキ性の樹脂材料を用いたリング状内側樹脂部材とメッキが付着するメッキ性の樹脂材料を用いたリング状外側樹脂部材とから構成されている。
【０００６】
この装飾用リング部材はリング状内側樹脂部材を形成した後、このリング状内側樹脂部材に、メッキ性の樹脂材料からなるリング状外側樹脂部材を射出成形するといういわゆる二色成形法により形成される。
【０００７】
この装飾用リング部材は、その後、メッキ浴槽に浸漬され、そのリング状外側樹脂部材の表面にメッキ膜が成膜され、これにより、リング状外側樹脂部材の表面に金属光沢を有する装飾用リング状反射帯が形成される。
【０００８】
この従来のものによれば、装飾用リング部材を構成するリング状外側樹脂部材の表面のみにメッキ膜を形成するので、装飾用リング部材の外周面部をマスクする製造方法に較べて、安価に製造できるという長所がある（例えば、特許文献１参照。）。
【特許文献１】特開２００７−１４７２９６号公報
【発明の開示】
【発明が解決しようとする課題】
【０００９】
しかしながら、この従来の計器用文字盤は、計器用文字盤本体と装飾用リング部材との二部品からなり、この計器用文字盤本体に装飾用リング部材を組み付けて計器用文字盤を組み立てるため、従来の黒色塗装による製造方法に較べて安価に製造できるといっても限度がある。
【００１０】
価格競争が一層激化し、企業努力が一層要求される今日、品質を極力低下させることなくより一層安価に製造できる計器用文字盤が要請されている。
【００１１】
本発明は、上記の事情に鑑みて為されたもので、品質を極力低下させることなく製造コストの大幅な低減を図ることのできる計器用文字盤及びこれを用いた車両用計器を提供することを目的とする。
【課題を解決するための手段】
【００１２】
請求項１に記載の計器用文字盤は、透光性基板を絞り成形することによって、指針回動領域部と、該指針回動領域部を囲む帯状内周壁部と、該帯状内周壁部を囲む帯状外周壁部と、前記帯状内周壁部と前記帯状外周壁部との間に配置される帯状頂壁部を具備せしめると共に、前記帯状頂壁部が頂部となり、かつ、前記帯状内周壁部と前記帯状外周壁部との間隔を、前記帯状頂壁部の反対側に向けてハ字状に拡がるように離間せしめ、少なくとも前記帯状頂壁部の裏面側を含む帯状領域に表面側から透過して入射した光を前記表面側に反射する装飾用リング状反射帯が印刷により形成されてなることを特徴とする。
【００１３】
請求項２に記載の計器用文字盤は、前記指針回動領域部が大径指針回動領域部と小径指針回動領域部とからなり、前記帯状内周壁部と前記帯状外周壁部と前記帯状頂壁部とが前記大径指針回動領域部を包囲する装飾用大径リング状突条部と前記小径指針回動領域部を包囲する装飾用小径リング状突条部とからなることを特徴とする。
【００１４】
請求項３に記載の計器用文字盤は、前記装飾用大径リング状突条部と前記装飾用小径リング状突条部との連結部に段差が存在することを特徴とする。
【００１５】
請求項４に記載の車両用計器は、請求項１ないし請求項３のいずれか１項に記載の計器用文字盤を有することを特徴とする。
【発明の効果】
【００１６】
請求項１ないし請求項３に記載の計器用文字盤は、透光性基板を絞り成形することによって、指針回動領域部と、この指針回動領域部を囲む帯状内周壁部と、この帯状内周壁部を囲む帯状外周壁部と、その帯状内周壁部とその帯状外周壁部との間に配置される帯状頂壁部を形成したので、かつ、少なくともその帯状頂壁部の裏面側を含む帯状領域に表面側から透過して入射した光を表面側に反射する装飾用リング状反射帯を印刷により形成したので、組立工数の削減、管理コストの削減を図ることができ、安価に製造できるという効果を奏する。
【００１７】
また、装飾用リング状反射帯が透光性基板の裏面に形成されているので、外部からの紫外線が直接に当たらないために劣化を防止できる効果に加えて、外観上深みを与えることができる効果、装飾用リング状反射帯が傷付きにくいという効果も奏する。
【００１８】
また、透光性平板を成形加工する際、表面側に較べて裏面側の伸び量が少ないので、成形加工により帯状内周壁部と帯状外周壁部と帯状頂壁部とによって装飾用リング状突条部を形成する際、装飾用リング状反射帯にクラックが生じるのを極力回避することができる。
【００１９】
請求項２、請求項３に記載の発明によれば、特に、大径指針回動領域部を包囲する装飾用大径リング状突条部と小径指針回動領域部を包囲する装飾用小径リング状突条部との連結部に段差が存在し、この部分で表面が三次元方向への複雑な伸びが発生する計器用文字盤を製作する際も表面側が裏面側に較べて大きく伸びるので、この連結部に存在する装飾用リング状反射帯にクラックが生じるのを回避することができる。
【００２０】
請求項４に記載の車両用計器は、安価に製造できるという効果を奏する。
【発明を実施するための最良の形態】
【００２１】
以下に、本発明に係わる計器用文字盤及びこれを用いた車両用計器を図面を参照しつつ説明する。
【実施例】
【００２２】
図１は本発明に係わる車両用計器としてのコンビネーションメータを示す斜視図である。この図１において、符号１はコンビネーションメータである。このコンビネーションメータ１は計器用の計器用文字盤２を有する。
【００２３】
計器用文字盤２は左右一対の指針回動領域を有し、ここでは、この計器用文字盤２に、左右一対の指針回動領域として、スピードメータ用の大径指針回動領域部３、燃料メータ用の小径指針回動領域部４、タコメータ用の大径指針回動領域部５、水温メータ用の小径指針回動領域部６が形成されている。
【００２４】
この各指針回動領域部３〜６には、指針回動領域構成要素として目盛り７が円弧状に付されると共に、この目盛り７に沿って適宜箇所に指針回動領域構成要素として文字８が付されている。各指針回動領域部３〜６の中心部には、図２〜図４に示すように軸部挿通穴９が形成されている。この軸部挿通穴９には回動軸（図示を略す）が挿通され、この回動軸の先端には図１に示すように適宜形状の指針１０が設けられている。
【００２５】
その各指針回動領域部３〜６は、装飾用リング状突条部によって包囲されており、この装飾用リング状突条部は、図１、図２、図４に示す大径指針回動領域部３、５を包囲する装飾用リング状突条部１１ａと、図１、図２に示す小径指針回動領域部４、６を包囲する装飾用リング状突条部１１ｂとから構成されている。
【００２６】
その装飾用リング状突条部１１ａと装飾用リング状突条部１１ｂとは互いに連結されている。その装飾用リング状突条部１１ａと装飾用リング状突条部１１ｂとの連結部１１ｃは図５に拡大して示すように、段差部となっている。
【００２７】
その図４に示す装飾用リング状突条部１１ａが拡大して図６に示されており、その装飾用リング状突条部１１ａは大径指針回動領域部３、５を包囲する帯状内周壁部１２と、この帯状内周壁部１２を包囲する帯状外周壁部１４と、帯状内周壁部１２と帯状外周壁部１４との間に位置する帯状頂壁部１５とから構成されている。その帯状内周壁部１２とその帯状外周壁部１４とは、帯状頂壁部１５が頂部となるようにして下方に向かって開放する環状中空部１３を介して互いに対向されるように、かつ、その帯状内周壁部１２とその帯状外周壁部１４との間隔が帯状頂壁部１５の反対側に向けてハ字状に拡がるように離間せしめられている。その帯状頂壁部１５は、山形形状で頂部から中腹部を経て帯状内周壁部１２、帯状外周壁部１４につながっている。
【００２８】
装飾用リング状突条部１１ｂも、図５に示すように、同様に、小径指針回動領域部４、６を包囲する帯状内周壁部１２と、この帯状内周壁部１２を包囲する帯状外周壁部１４と、帯状内周壁部１２と帯状外周壁部１４との間に位置する帯状頂壁部１５とから構成されている。その帯状内周壁部１２とその帯状外周壁部１４とは、帯状頂壁部１５が頂部となるようにして下方に向かって開放する環状中空部１３を介して互いに対向されるように、かつ、その帯状内周壁部１２とその帯状外周壁部１４との間隔が帯状頂壁部１５側に向けてハ字状に拡がるように離間せしめられている。その帯状頂壁部１５は、山形形状で頂部から中腹部を経て帯状内周壁部１２、帯状外周壁部１４につながっている。
【００２９】
大径指針回動領域部３、５、小径指針回動領域部４、６には、図４〜図６に示すように、装飾用リング状突条部１１ａ、１１ｂに沿ってかつ目盛り７の形成領域に傾斜壁部１６が形成されている。ここでは、大径指針回動領域部５の目盛り７は、図１、図２に示すように、白色目盛り領域７ａとレッドゾーンとしての赤色目盛り領域７ｂとから構成されている。
【００３０】
各指針回動領域部３〜６はその中心部から所定半径までの領域が黒色領域Ｑ１とされ、この黒色領域Ｑ１から所定範囲の領域が輪帯状の紫色領域Ｑ２とされている。この紫色領域Ｑ２は半径方向内方が色濃く、半径方向外方に向かって色が薄くなるようにグラデーションが施されている。その紫色領域Ｑ２の外側であってかつ装飾用リング状突条部１１ａ、１１ｂにより囲まれた領域、装飾用リング状突条部１１ａ、１１ｂの外側の領域は、それぞれ黒色領域Ｑ３、Ｑ４とされている。その黒色領域Ｑ１、Ｑ３、紫色領域Ｑ２は、目盛り７、文字８、傾斜壁部１６と共に指針回動領域構成要素の一部を担っている。
【００３１】
その装飾用リング状突条部１１ａ、１１ｂは、装飾用リング状反射帯１７を有する。ここでは、この装飾用リング状反射帯１７は帯状内周壁部１２と帯状外周壁部１４と帯状頂壁部１５とによって囲まれた裏面側には少なくとも帯状頂壁部１５の裏面側を含む帯状領域に表面側から透過して入射した光を表面側に反射するように印刷により形成されている。なお、この装飾用リング状反射帯１７は表面側に形成しても良いが、裏面側に形成することにすると、紫外線による劣化を防止できる効果に加えて、外観上深みを与えることができる効果、装飾用リング状反射帯が傷付きにくいという効果がある。
【００３２】
その計器用文字盤２は図３に示すように所定の印刷が施された透光性基板１８を絞り成形することによって形成される。
【００３３】
以下、透光性基板１８に装飾用リング状反射帯１７、目盛り７、文字８、紫色領域Ｑ２、黒色領域Ｑ１、Ｑ３、Ｑ４を形成する手順を図７を参照しつつ概略説明する。
【００３４】
図７（ａ）に示す透明の透光性基板１８を準備し、この透光性基板１８の裏面１８ｂの側に図７（ｂ）に示すように装飾用リング状反射帯対応部１７’をシルク印刷により形成する。その装飾用リング状反射帯対応部１７’の印刷材料にはアルミナ粉を有する材料を用いる。
【００３５】
この透光性基板１８の裏面側でかつ装飾用リング状反射帯対応部１７’の内側でしかも文字８に対応する箇所に、図７（ｃ）に示すようにリング状拡散帯８’がシルク印刷により形成される。
【００３６】
この透光性基板１８の表面１８ａの側には、図７（ｄ）に示すようにスモーク領域１８’がシルク印刷により形成される。このスモーク領域１８’はウオーニング図形に対応する形状を有するが、図１、図２ではウオーニング図形は省略されている。
【００３７】
更に、透光性基板１８の表面側には、図７（ｅ）に示すように、表面側から見て装飾用リング状反射帯対応部１７’に包囲されるようにして、赤色目盛り領域７ｂに対応するレッドゾーン７ｂ’がシルク印刷により形成される。
【００３８】
ついで、透光性基板１８の表面側には、図７（ｆ）に示すように、表面側から見て装飾用リング状反射帯対応部１７’に包囲されるようにして、紫色領域Ｑ２に対応するリング状の紫色領域対応部Ｑ２’がシルク印刷により形成される。
【００３９】
その後、透光性基板１８の表面側には、装飾用リング状反射帯対応部１７’に対応する箇所、リング状拡散帯８’に対応する箇所、リング状拡散帯８’とスモーク領域１８’とスモーク領域１８’と紫色領域Ｑ２とをほぼ除く領域で黒領域色Ｑ１、Ｑ３、Ｑ４に対応する箇所に黒色領域対応部Ｑ５が図７（ｇ）に示すようにシルク印刷により形成される。
【００４０】
ついで、透光性基板１６は、装飾用リング状反射帯対応部１７’に対応する箇所を除く箇所が透明合成樹脂材料１９によりハードコーティングされる。なお、この図７は、透光性基板１８への印刷を概念的に説明するためのものである。
【００４１】
このようにして、図３に示す透光性基板１８が製造される。この透光性基板１８を後述する成形金型にセットして成形を行うことにより、図１、図２に示す計器用文字盤２が製造されるものであり、以下、その計器用文字盤２の成形工程を、図８〜図１３を参照しつつ説明する。
【００４２】
図８〜図１３において、符号２０は計器用文字盤２の成形に用いる成形金型である。この成形金型２０は、下型２１と上型２２とから大略構成されている。下型２１は作業位置と成形位置との間で水平方向にスライド可能とされている。図８はその下型２１が作業位置でスライド停止された状態を示している。
【００４３】
下型２１には取り付け板２３と入れ子２４と位置決めピン２５と空気通路２６とが設けられている。入れ子２４は計器用文字盤２の指針回動領域部３〜６の形状に対応する形状を有している。その図８〜図１３に示す入れ子２４には、指針回動領域部６に対応する形状が概略示されている。取り付け板２３、入れ子２４には図示を略す空気通路が適宜箇所に適宜個数設けられている。
【００４４】
上型２２には加熱板２７と空気通路２８とが適宜箇所に適宜個数設けられている。加熱板２７には空気通路２８に通じる空気孔（図示を略す）が適宜箇所に適宜個数設けられている。その透光性基板１８は、図９に示すように、作業位置で、表面１８ａを上側にして、位置決めピン２５により所定位置に位置決めされて下型２１にセットされる。
【００４５】
その下型２１の温度は、あらかじめ、例えば、８０度Ｃに維持されている。加熱板２７は、あらかじめ、例えば、２００度Ｃに維持されている。透光性基板１８を下型２１にセットした状態で、図示を略すスタートボタンを操作すると、下型２１が作業位置から成形位置に向かってスライドされ、上型２２の真下でスライド停止される。
【００４６】
ついで、上型２２が図１０に示すように下降して型締めされる。次に、透光性基板１８の表面１８ａの側は、空気通路２８を介しての真空引きにより加熱板２７に吸着される。これと共に、透光性基板１８は空気通路２６を介しての空気の圧送により裏面１８ｂの側から加圧されて加熱板２７にぴったりと密着される。
【００４７】
この図１０に示す状態で、透光性基板１８は、所定時間維持されて加熱される。その後、透光性基板１８は空気通路２８を通じての真空引きによる吸着と空気通路２６を介しての空気の圧送による加圧とが解除される。
【００４８】
次に、透光性基板１８は、図１１に示すように、空気通路２６を介しての真空引きにより下型２１に向かって吸引される。これと同時に、透光性基板１８は空気通路２８を介しての空気の圧送により下型２１に向かう方向に加圧される。
【００４９】
これにより、透光性基板１８は、入れ子２４の形状に沿う形状に変形され、入れ子２４にぴったりと密着される。その結果、加熱された透光性基板１８を加圧して裏面１８ｂの側から表面１８ａの側に向かって突出しかつ裏面１８ｂに装飾用リング状反射帯１７を有する装飾用リング状突条部１１ａ、１１ｂと指針回動領域を構成する指針回動領域部３〜６とを備えた計器用文字盤２が成形される。成形金型２０は図１１に示す状態に所定時間維持される。
【００５０】
ついで、計器用文字盤２は空気通路２６を通じての真空引きによる吸着と空気通路２８を介しての空気の圧送による加圧とが解除される。ついで、上型２２が図１２に示すように上昇され、成形金型２０が型開きされ、上型２２が上昇待機位置で停止される。
【００５１】
ついで、下型２１が作業位置に向かってスライドされると同時に、空気が空気通路２６を介して計器用文字盤２に向かって圧送され、計器用文字盤２が下型２１から離型される。その後、下型２１は作業位置でスライド停止される。ついで、作業者は安全装置を解除し、図１３に示すように、計器用文字盤２を下型２１から取り外す。
【００５２】
これにより、図１４に部分的に拡大して示すように、装飾用リング状突条部の裏面側に装飾用リング状反射帯が指針回動領域を構成する指針回動領域部と一体に形成された計器用文字盤２が形成されるものである。
【００５３】
なお、その図１４において、符号２９は図７に示す透明樹脂材料１９によりハードコーティングされたハードコート部を示しており、このハードコート部２９は装飾用リング状突条部１１ａ、１１ｂの成形によりクラックが生じないように、装飾用リング状突条部１１ａ、１１ｂの帯状内周壁部１２よりも内側に形成されている。
【００５４】
また、帯状内周壁部１２はその裾部から中腹部までが黒色領域Ｑ３の一部となっており、その中腹部から帯状頂壁部１５の頂部を経て帯状外周壁部１４の裾部までが、計器用文字盤２を正面から見た場合に、透光性基板１８を透過して入射した光を反射する装飾用リング状反射帯１７となるものである。
【００５５】
以上説明したように、この発明の実施の形態によれば、透光性基板を絞り成形することによって、指針回動領域部と、この指針回動領域部を囲む帯状内周壁部と、この帯状内周壁部を囲む帯状外周壁部と、その帯状内周壁部とその帯状外周壁部との間に配置される帯状頂壁部を形成したので、かつ、少なくともその帯状頂壁部の裏面側を含む帯状領域に表面側から透過して入射した光を表面側に反射する装飾用リング状反射帯を印刷により形成したので、組立工数の削減、管理コストの削減を図ることができ、安価に製造できるという効果を奏する。
【００５６】
また、装飾用リング状反射帯が透光性基板の裏面に形成されているので、紫外線による劣化を防止できる効果に加えて、外観上深みを与えることができる効果、装飾用リング状反射帯が傷付きにくいという効果も奏する。
【００５７】
また、透過性基板を成形加工する際、表面側に較べて裏面側の伸び量が少ないので、成形加工により装飾用リング状突条部を形成する際、装飾用リング状反射帯にクラックが生じるのを極力回避することができる。
【００５８】
更に、大径指針回動領域部を包囲する装飾用大径リング状突条部と小径指針回動領域部を包囲する装飾用小径リング状突条部との連結部に段差が存在する計器用文字盤を製作する際、この連結部に存在する装飾用リング状反射帯にクラックが生じるのを回避することができる。
【００５９】
また、従来は、指針回動領域毎に別々に装飾用リング状突条部を形成しなければならず、組み付け工数に時間がかかるという不都合があったが、この発明の実施の形態では、左右一対の指針回動領域を有する計器用文字盤を一度に形成できるので、より一層安価に製造できるという効果を奏する。
【００６０】
また、この発明の実施の形態に係わる車両用計器は、安価に製造できる。
【図面の簡単な説明】
【００６１】
【図１】本発明に係わる計器用文字盤を用いた車両用計器の概略構成を示す斜視図である。
【図２】本発明に係わる計器用文字盤の平面図である。
【図３】本発明に係わる透光性基板の概略構成を示す平面図である。
【図４】図２のＸ−Ｘ線に沿う計器用文字盤の断面図である。
【図５】図２のＹ−Ｙ線に沿う計器用文字盤の断面図である。
【図６】図４に示す計器用文字盤の部分拡大断面図である。
【図７】図３に示す透光性基板に形成される指針回動領域構成要素の印刷手順を模式的に概略示す説明図であって、（ａ）は透明な透光性基板を示す部分断面図、（ｂ）は（ａ）に示す透光性基板の裏面にシルク印刷により装飾用リング状反射帯対応部を形成した状態を示す部分断面図、（ｃ）は文字に対応する箇所にシルク印刷によりリング状拡散帯を形成した状態を示す部分断面図、（ｄ）は透光性基板の表面にシルク印刷によりウオーニング図形に対応する形状のスモーク領域を形成した状態を示す部分断面図、（ｅ）は透光性基板の表面にシルク印刷によりレッドゾーンを形成した状態を示す部分断面図、（ｆ）は透光性基板の表面にシルク印刷により紫色領域に対応するリング状の紫色領域対応部を形成した状態を示す部分断面図、（ｇ）は透光性基板の表面の残余の部分に黒色領域に対応する黒色領域対応部をシルク印刷により形成したした後、ハードコーティングを行った状態を示す部分断面図である。
【図８】本発明に係わる計器用文字盤の成形工程を説明するための図であって、作業開始直前の成形金型を示す図である。
【図９】本発明に係わる計器用文字盤の成形工程を説明するための図であって、下型に透光性基板をセットした状態を示す説明図である。
【図１０】本発明に係わる計器用文字盤の成形工程を説明するための図であって、成形金型の型締め状態を示す図である。
【図１１】本発明に係わる計器用文字盤の成形工程を説明するための図であって、透光性基板の成形状態を示す図である。
【図１２】本発明に係わる計器用文字盤の成形工程を説明するための図であって、成形金型の型開き状態を示す図である。
【図１３】本発明に係わる計器用文字盤の成形工程を説明するための図であって、成形金型から計器用文字盤を取り外す状態を示す図である。
【図１４】図２に示す計器用文字盤の装飾用リング状突条部の一部を破断して部分的に拡大して示す斜視図である。
【符号の説明】
【００６２】
２…計器用文字盤
１２…帯状内周壁部
１３…環状中空部
１４…帯状外周壁部
１５…帯状頂壁部
１７…装飾用リング状反射帯
１８…透光性基板
【図１】
2010121973.tif 000003
【図２】
2010121973.tif 000004
【図３】
2010121973.tif 000005
【図４】
2010121973.tif 000006
【図５】
2010121973.tif 000007
【図６】
2010121973.tif 000008
【図７】
2010121973.tif 000009
【図８】
2010121973.tif 000010
【図９】
2010121973.tif 000011
【図１０】
2010121973.tif 000012
【図１１】
2010121973.tif 000013
【図１２】
2010121973.tif 000014
【図１３】
2010121973.tif 000015
【図１４】
2010121973.tif 000016